(57)【要約】【課題】情報の取得において限定を設けることなく、安全性を考慮して、ユーザに情報を提供できる情報提供装置を提供する。【解決手段】情報提供装置は、キーワードの登録を受け付ける登録部２０１と、登録されたキーワードに関連する情報を取得する取得部２０２と、取得部２０２によって取得された情報の属性を特定する特定部２０３と、対象である車両の状態を確認する確認部２０４と、確認部２０４により確認した車両１０の状態および特定部２０３により特定した情報の属性に応じて、情報を提供する形態を決定する決定部２０５と、決定部２０５により決定した形態により、情報を提供する提供部２０６と、を有する。【選択図】図３
2019109753.tif 000002
【特許請求の範囲】
【請求項１】
受け付けたキーワードに関連する情報を取得する取得部と、
前記取得部によって取得された情報の属性を特定する特定部と、
対象である車両の状態を確認する確認部と、
前記確認部により確認した前記車両の状態および前記特定部により特定した前記情報の属性に応じて、前記情報を提供する形態を決定する決定部と、
前記決定部により決定した形態により、前記情報を提供する提供部と、
を有する情報提供装置。
【発明の詳細な説明】
【技術分野】
【０００１】
本発明は、情報提供装置に関する。
【背景技術】
【０００２】
近年、ＳＮＳ（ｓｏｃｉａｌ  ｎｅｔｗｏｒｋｉｎｇ  ｓｅｒｖｉｃｅ）や動画共有サイト等の様々な情報源がインターネットにおいて提供されている。このようなサービスは、自宅や外出先等の決まった場所で利用されるだけでなく、移動中にも利用される機会が増えている。
【０００３】
これに関連して、車両において、ＳＮＳの情報を活用する技術が提案されている。たとえば、特許文献１には、ＳＮＳに再投稿が行なわれた回数が所定回数以上である投稿情報をユーザに限定的に通知する車載器が開示されている。特許文献１記載の車載器によれば、投稿回数が多い投稿情報だけをユーザに通知することによって、走行中のユーザが投稿の全てを閲覧する手間を省き、効率性および安全性を向上させる。
【先行技術文献】
【特許文献】
【０００４】
【特許文献１】特開２０１３−１３７６５４号公報
【発明の概要】
【発明が解決しようとする課題】
【０００５】
しかし、特許文献１記載の発明では、情報の取得を限定するために、投稿回数が多いことが条件となっているため、投稿回数によらずユーザが本当に知りたい情報があっても、通知されない場合がある。
【０００６】
本発明は、上記の点に鑑みてなされたものであり、情報の取得において限定を設けることなく、安全性を考慮して、ユーザに情報を提供できる情報提供装置を提供することを目的とする。
【課題を解決するための手段】
【０００７】
本発明に係る情報提供装置は、受け付けたキーワードに関連する情報を取得する取得部と、前記取得部によって取得された情報の属性を特定する特定部と、対象である車両の状態を確認する確認部と、前記確認部により確認した前記車両の状態および前記特定部により特定した前記情報の属性に応じて、前記情報を提供する形態を決定する決定部と、前記決定部により決定した形態により、前記情報を提供する提供部と、を有する。
【発明の効果】
【０００８】
本発明の情報提供装置によれば、車両の状態および情報の属性に応じて情報を提供する形態を決定し、提供する。したがって、情報の取得において特に限定せずに、車両の状態および情報の属性に合わせて、安全性を考慮した形態により情報を提供できる。
【図面の簡単な説明】
【０００９】
【図１】本実施形態に係る情報提供装置が適用される車両を示す図である。
【図２】車載器のハードウェア構成を示すブロック図である。
【図３】車載器の機能構成の例を示すブロック図である。
【図４】情報提供処理の流れを示すフローチャートである。
【図５】情報の属性と車両の状態に応じた情報の提供形態の例を示す図である。
【図６】情報の属性と車両の状態に応じた情報の提供形態の別の例を示す図である。
【図７】情報の属性と車両の状態に応じた情報の提供形態の更なる別の例を示す図である。
【発明を実施するための形態】
【００１０】
以下、本発明の実施形態の一例を、図面を参照しつつ説明する。なお、各図面において同一または等価な構成要素および部分には同一の参照符号を付与している。また、図面の寸法比率は、説明の都合上誇張されており、実際の比率とは異なる場合がある。
【００１１】
図１は、本実施形態に係る情報提供装置が適用される車両を示す図である。本実施形態において、情報提供装置は、車両１０に搭載される車載器２０として提供される。
【００１２】
車両１０は、車載器２０によりインターネット３０を通じて種々の情報を受信できる。車載器２０は、例えば、ＳＮＳへの投稿情報や、動画共有サイトへの投稿情報、インターネット３０を通じた放送等を受信する。
【００１３】
図２は、車載器のハードウェア構成を示すブロック図である。
【００１４】
図２に示すように、車載器２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ストレージ２４、ＧＰＳ受信機２５、ＵＩ（ユーザインタフェース）２６および通信インタフェース（Ｉ／Ｆ）２７を有する。各構成は、バス２９を介して相互に通信可能に接続されている。
【００１５】
ＣＰＵ２１は、中央演算処理ユニットであり、各種プログラムを実行したり、各部を制御したりする。すなわち、ＣＰＵ２１は、ＲＯＭ２２またはストレージ２４からプログラムを読み出し、ＲＡＭ２３を作業領域としてプログラムを実行する。ＣＰＵ２１は、ＲＯＭ２２またはストレージ２４に記録されているプログラムにしたがって、上記各構成の制御および各種の演算処理を行う。本実施形態では、ＲＯＭ２２またはストレージ２４には、情報提供プログラムが格納されている。
【００１６】
ＲＯＭ２２は、各種プログラムおよび各種データを格納する。ＲＡＭ２３は、作業領域として一時的にプログラムまたはデータを記憶する。ストレージ２４は、ＨＤＤ（Ｈａｒｄ  Ｄｉｓｋ  Ｄｒｉｖｅ）またはＳＳＤ（Ｓｏｌｉｄ  Ｓｔａｔｅ  Ｄｒｉｖｅ）により構成され、オペレーティングシステムを含む各種プログラム、および各種データを格納する。
【００１７】
ＧＰＳ受信機２５は、ＧＰＳ方式に基づく信号を複数の衛星から受信し、信号の到着時間差から、車両１０（車載器２０）の位置を特定する。ＵＩ２６は、車両１０に搭乗するユーザが車載器２０を使用する際のインタフェースである。ＵＩ２６は、たとえば、ユーザによるタッチ操作を可能とするタッチパネルを備えた液晶ディスプレイ、ユーザによる音声入力を受け付ける音声入力受付部、およびユーザが押下可能なボタン等の少なくとも一つを含む。通信インタフェース２７は、車載器２０がインターネット３０を介して外部サーバ等の機器と通信するためのインタフェースであり、たとえば、イーサネット（登録商標）、ＦＤＤＩ、Ｗｉ−Ｆｉ（登録商標）等の規格が用いられる。
【００１８】
次に、車載器２０の機能構成について説明する。
【００１９】
図３は、車載器の機能構成の例を示すブロック図である。
【００２０】
図３に示すように、車載器２０は、機能構成として、登録部２０１、取得部２０２、特定部２０３、確認部２０４、決定部２０５、提供部２０６および経路案内部２０７を有する。各機能構成は、ＣＰＵ２１がＲＯＭ２２またはストレージ２４に記憶された情報提供プログラムおよび経路案内プログラムを読み出し、実行することにより実現される。
【００２１】
登録部２０１は、キーワードの登録を受け付ける。具体的には、例えば、登録部２０１は、ＵＩ２６において、ユーザにキーワードの入力を促す画面を表示し、タッチパネルを介して入力されたキーワードまたは音声入力されたキーワードを、ＲＡＭ２３またはストレージ２４に記憶させる。
【００２２】
取得部２０２は、登録部２０１において登録されたキーワードに関連する情報を、インターネット３０を通じて取得する。取得部２０２は、インターネット３０上の情報をキーワードに基づいて検索し、関連情報を収集する。
【００２３】
特定部２０３は、取得部２０２によって取得された情報の属性を特定する。属性とは、例えば、取得された情報の蓄積または格納元である情報源を示す情報である。情報源としては、例えば、ツイッター（登録商標）等のいわゆるミニブログ、ｆａｃｅｂｏｏｋ（登録商標）等のブログ、ニュース、その他のＷｅｂサイト、動画共有サイト、インターネット放送等がある。さらに、特定部２０３は、上記情報源としての属性をさらに細分化して、コンテンツや投稿情報のカテゴリを属性として特定してもよい。コンテンツや投稿情報のカテゴリには、例えば、スポーツ、グルメ、ショッピング等がある。
【００２４】
確認部２０４は、対象である車両１０の状態を確認する。対象である車両とは、本実施形態においては、車載器２０が搭載された車両１０である。車両の状態には、高速道路走行中、一般道路走行中、停車中といった走行環境や、「６０ｋｍ／ｈ以上」等の走行速度が含まれる。確認部２０４は、ＧＰＳ受信機２５により特定される位置情報や、経路案内部２０７による経路情報に基づいて、走行環境を確認する。
【００２５】
決定部２０５は、確認部２０４により確認した車両１０の状態および特定部２０３により特定した情報の属性に応じて、情報を提供する形態を決定する。情報を提供する形態としては、例えば、情報に含まれるテキストの読み上げ、テキストの表示、動画の再生、動画の音声のみの再生、写真または画像の表示等がある。
【００２６】
提供部２０６は、決定部２０５により決定した形態により、情報を提供する。提供部２０６は、ＵＩ２６により、上記の種々の形態を再現させる。
【００２７】
経路案内部２０７は、いわゆるカーナビゲーションシステムであり、車載器２０が搭載された車両１０のＵＩ２６に、所望の経路案内を提供する。
【００２８】
次に、本実施形態の具体的な情報提供処理について説明する。
【００２９】
図４は、情報提供処理の流れを示すフローチャートである。情報提供処理は、ＣＰＵ２１が、ＲＯＭ２２またはストレージ２４から情報提供プログラムを読み込むことによって実行される。
【００３０】
ＣＰＵ２１は、ＵＩ２６を介して検索キーワードを受け付ける（ステップＳ１０１）。検索キーワードを受け付けない場合（ステップＳ１０１：ＮＯ）、ＣＰＵ２１は、キーワードが入力されるまで待機する。
【００３１】
検索キーワードを受け付けた場合（ステップＳ１０１：ＹＥＳ）、ＣＰＵ２１は、受け付けたキーワードに関する情報を、インターネット３０を介して収集する（ステップＳ１０２）。
【００３２】
ＣＰＵ２１は、ステップＳ１０２において収集した情報のうち、未提供の関連情報があるか否か判断する（ステップＳ１０３）。未提供の関連情報がない場合（ステップＳ１０３：ＮＯ）、ＣＰＵ２１は、ステップＳ１０８の処理に進む。これにより、ＣＰＵ２１は、提供済の関連情報について、再度ステップＳ１０４〜ステップＳ１０７の処理を行い、繰り返し同じ情報を提供することを防止する。
【００３３】
未提供の関連情報がある場合（ステップＳ１０３：ＹＥＳ）、ＣＰＵ２１は、収集した情報の属性を確認する（ステップＳ１０４）。さらに、ＣＰＵ２１は、車両の状態を確認する（ステップＳ１０５）。
【００３４】
ＣＰＵ２１は、ステップＳ１０４において確認した情報の属性およびステップＳ１０５において確認した車両の情報に応じて、ユーザに提供する情報の形態を決定する（ステップＳ１０６）。
【００３５】
ＣＰＵ２１は、ステップＳ１０６において決定した形態により、ＵＩ２６を通じて情報を提供する（ステップＳ１０７）。
【００３６】
ＣＰＵ２１は、検索終了指示を受け付けたか否か判断する（ステップＳ１０８）。検索終了指示とは、例えば、ステップＳ１０１において受けた検索キーワードの撤回や、新たな別の検索キーワードの受付等によって発生する指示である。検索終了指示を受け付けない場合（ステップＳ１０８：ＮＯ）、ＣＰＵ２１は、ステップＳ１０２の処理に戻る。検索終了指示を受け付けた場合（ステップＳ１０８：ＹＥＳ）、ＣＰＵ２１は、情報提供処理を終了する。
【００３７】
次に、ステップＳ１０６において決定される情報の提供形態について、より詳細に説明する。
【００３８】
図５は、情報の属性と車両の状態に応じた情報の提供形態の例を示す図である。
【００３９】
図５に示すように、ＣＰＵ２１は、情報の属性と車両の状態とをマトリクス状に分類し、情報の属性と車両の情報との組合せに応じて、情報の提供形態を決定する。
【００４０】
図５に示す例によると、情報源の属性がミニブログであり、車両１０の状態が高速道路で６０ｋｍ／ｈ以上で走行中である場合、決定部２０５により決定される情報の提供形態は、テキストの読み上げまたは動画の音声のみの再生である。テキストの読み上げとするか動画の音声のみの再生とするかは、情報のコンテンツによる。情報がテキストを含む場合は、テキストの読み上げが行なわれ、情報が動画を含む場合、動画の音声のみが再生される。情報がテキストと動画の両方を含む場合、ユーザによりテキストの読み上げか動画の音声のみの再生とするかの指示を事前または適切なタイミングで受け付けてもよい。
【００４１】
情報の属性と車両の状態との他の組合せについても、それぞれ図５に示すように、情報の提供形態が事前に決定されている。情報の提供形態は、原則として、安全面に配慮して決定される。したがって、ＣＰＵ２１は、原則として、車両１０の状態が走行中である場合は、動画や写真等の視覚的な情報は提供しない。ただし、安全面を考慮した上で、一般道路を走行中に２０ｋｍ／ｈ未満であれば、ミニブログの動画は再生可等と例外的な提供形態を認めてもよい。ミニブログでは、投稿できる動画の再生時間に制限があるため、比較的短い動画が多い。したがって、低速で走行中の車両１０において、ミニブログの動画を再生しても、ユーザが長時間動画に集中することはない。
【００４２】
以上、説明してきたように、本実施形態の情報提供装置としての車載器２０によれば、車両１０の状態および情報の属性に応じて情報を提供する形態を決定し、提供する。したがって、車両１０の状態および情報の属性に合わせて、適切な形態により情報を提供できる。
【００４３】
図５に示すマトリクスはあくまで例示であり、いかようにも変更できる。上述では、安全面を考慮してマトリクスを作成する点について説明したが、別の観点によりマトリクスを作成してもよい。
【００４４】
また、上記例では、走行速度の閾値として、６０ｋｍ／ｈ、２０ｋｍ／ｈを採用しているが、本実施形態は上記閾値に限定されない。１００ｋｍ／ｈ、８０ｋｍ／ｈ、４０ｋｍ／ｈ等のいかなる閾値を適用してもよい。
【００４５】
また、図５に示すマトリクスでは、情報の属性として情報源だけを考慮したが、情報の属性として情報のカテゴリを考慮してもよい。情報のカテゴリを考慮する形態について、説明する。
【００４６】
図６は、情報の属性と車両の状態に応じた情報の提供形態の別の例を示す図である。
【００４７】
図６に示すマトリクスにおいては、属性として、情報源がさらにカテゴリにより細分化されている。情報源として、ミニブログ、ブログ、ニュース、動画共有サイトおよび放送等があり、そのいずれもが、スポーツ、グルメおよびショッピングにより細分化されている。なおカテゴリについては、上記に限られず、適宜、追加または削除が可能である。
【００４８】
例えば、情報のカテゴリがグルメまたはショッピングの場合、当該情報に示されるレストランまたは販売店舗にユーザが行きたい可能性が高い。この場合、ＣＰＵ２１は、経路案内部２０７を用いて、当該情報に示されるレストランまたは販売店舗の位置を地図に示したり、レストランまたは販売店舗までの経路を示したりできる。
【００４９】
また、情報のカテゴリがスポーツの場合、検索キーワードに係る情報を提供すると、ユーザが特に集中して視聴してしまう可能性がある。したがって、ＣＰＵ２１は、カテゴリがスポーツの場合であって、車両１０が高速道路を走行している場合には、情報の提供を停止し、車両１０が一般道路を走行している場合には、動画の音声のみを提供する。
【００５０】
このように、検索キーワードに係る情報をカテゴリに分類し、カテゴリに応じて情報の提供形態を適宜変更することにより、図５に示す例よりも細やかに、情報の提供形態を決定できる。
【００５１】
図６において、カテゴリをさらに細分化してもよい。例えば、スポーツのカテゴリを、さらに、サッカー、野球…等のように細分化できる。サッカーのように、ずっとボールの行方を追う必要があるスポーツにおいては、動画の再生を許容せず、野球のようにインターバルがあるスポーツについては動画の再生を許容するというように、同じスポーツでも別の情報の提供形態にしてもよい。
【００５２】
また、図５または図６の例に、車両の状態として「自動運転」を追加してもよい。
【００５３】
図７は、情報の属性と車両の状態に応じた情報の提供形態の更なる別の例を示す図である。
【００５４】
図７においては、マトリクスの一番右の列に、車両の状態として自動運転が追加されている。車両１０が自動運転により操縦されている場合、車両１０の走行速度に関わらず、停車時または駐車時と同様に、情報源に投稿または記述等されている情報の形態のまま、ユーザに提供してもよい。換言すると、提供部２０６は、情報が情報源で再現されるのと同じ形態で、車両１０内で情報を提供する。自動運転下においては、ユーザは、運転に多くの注意を払わず、キーワードに係る情報を楽しみ、あるいは活用できる。
【００５５】
（付記項１）
前記車両の状態とは、前記車両の走行速度である請求項１に記載の情報提供装置。
（付記項２）
前記情報の属性とは、前記情報が取得される情報源を示す請求項１または付記項１に記載の情報提供装置。
（付記項３）
前記確認部は、前記車両が自動運転により操縦されているか否かを確認し、
前記確認部において自動運転による操縦が確認される場合、前記提供部は、前記取得部が取得した情報を、当該情報が情報源で再現されるのと同じ形態で提供する請求項１、付記項１または付記項２に記載の情報提供装置。
（付記項４）
キーワードの登録を受け付ける登録部をさらに有し、
前記取得部は、前記登録部に登録された前記キーワードに関連する情報を取得する請求項１、付記項１〜付記項３のいずれか一項に記載の情報提供装置。
【００５６】
なお、上記各実施形態でＣＰＵがソフトウェア（プログラム）を読み込んで実行した情報提供処理を、ＣＰＵ以外の各種のプロセッサが実行してもよい。この場合のプロセッサとしては、ＦＰＧＡ（Ｆｉｅｌｄ−Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、情報提供処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００５７】
また、上記各実施形態では、情報提供プログラムがＲＯＭ２２またはストレージ２４に予め記憶（インストール）されている態様を説明したが、これに限定されない。プログラムは、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、プログラムは、ネットワークを介して外部装置からダウンロードされる形態としてもよい。
【符号の説明】
【００５８】
１０   車両
２０   車載器（情報提供装置）
３０   インターネット
２０１ 登録部
２０２ 取得部
２０３ 特定部
２０４ 確認部
２０５ 決定部
２０６ 提供部
【図１】
2019109753.tif 000003
【図２】
2019109753.tif 000004
【図３】
2019109753.tif 000005
【図４】
2019109753.tif 000006
【図５】
2019109753.tif 000007
【図６】
2019109753.tif 000008
【図７】
2019109753.tif 000009